(57)【要約】【課題】記録済みの記録材の受け取りに手間を要することなく、セキュリティに配慮した記録を行うこと。【解決手段】記録装置１は、記録済みの用紙Ｐを取り出し可能な状態で保持する排出部６と、記録済みの用紙Ｐが取り出し可能な状態で保持された後の所定時間内に取り出されない場合に、記録済みの用紙Ｐが取り出せない状態になるように排出部６を制御すると共に、記録済みの用紙Ｐを取り出せない状態にした場合において排出要求を受けた際に、記録済みの用紙Ｐを再び取り出し可能な状態で保持するように排出部６を制御するＣＰＵ１０４と、を有する。【選択図】図２
2019043084.tif 000002
【特許請求の範囲】
【請求項１】
記録済みの記録媒体を取り出し可能な状態で保持する保持手段と、
前記記録済みの記録媒体が前記取り出し可能な状態で保持された後の所定時間内に取り出されない場合に、前記記録済みの記録媒体が取り出せない状態になるように前記保持手段を制御する制御手段と、
を有することを特徴とする記録装置。
【請求項２】
前記制御手段は、
前記記録済みの記録媒体を前記取り出せない状態にした場合において排出要求を受けた際に、前記記録済みの記録媒体を再び前記取り出し可能な状態で保持するように前記保持手段を制御する、
ことを特徴とする請求項１記載の記録装置。
【請求項３】
前記制御手段は、
所定の解除動作が行われた際に前記排出要求を受け付ける、
ことを特徴とする請求項２記載の記録装置。
【請求項４】
前記解除動作は、
所定のパスワードの入力動作である、
ことを特徴とする請求項３記載の記録装置。
【請求項５】
前記制御手段は、
前記記録済みの記録媒体を前記取り出し可能な状態で保持している際に排出要求を受けた場合に、前記記録済みの記録媒体を排出するように前記保持手段を制御する、
ことを特徴とする請求項１から請求項４のいずれか１項に記載の記録装置。
【請求項６】
前記制御手段は、
前記記録済みの記録媒体が前記取り出せない状態であるときに起動された際に、前記記録済みの記録媒体を前記取り出し可能な状態で保持するように前記保持手段を制御する、
ことを特徴とする請求項１から請求項５のいずれか１項に記載の記録装置。
【請求項７】
前記制御手段は、
セキュリティ印刷が設定された際に、前記記録済みの記録媒体が前記取り出し可能な状態で保持された後の所定時間内に取り出されない場合に、前記記録済みの記録媒体が取り出せない状態になるように前記保持手段を制御する、
ことを特徴とする請求項１から請求項６のいずれか１項に記載の記録装置。
【請求項８】
記録済みの記録媒体を取り出し可能な状態で保持するステップと、
前記記録済みの記録媒体が前記取り出し可能な状態で保持された後の所定時間内に取り出されない場合に、前記記録済みの記録媒体が取り出せない状態になるように制御するステップと、
を有することを特徴とする制御方法。
【発明の詳細な説明】
【技術分野】
【０００１】
本発明は、セキュリティに配慮して記録媒体を出力することができる記録装置及び制御方法に関する。
【背景技術】
【０００２】
従来、記録装置を用いて記録媒体に記録した内容を第三者に対して秘匿したい場合に、第三者の居ない場所で記録動作を行うか、又はセキュリティレベルに応じて記録媒体の出力方法を変える技術が提案されている。
【０００３】
かかる状況において、特許文献１は、セキュリティレベルの設定に応じて、出力態様を変更するシステムを開示している。具体的には、特許文献１のシステムでは、ユーザインターフェース３１１を用いて、ユーザが印刷する文書又は画像毎に任意のセキュリティレベルを設定する。この際、セキュリティレベルの設定がない場合には、通常の出力態様で印刷物７００を出力する。また、低程度のセキュリティレベルの場合には、白紙７０１を挟み込んだ印刷物７００が出力される。また、中程度のセキュリティレベルの場合には、印刷物７００が封筒７０２の中に納められて封書出力される。
【０００４】
更に、高程度のセキュリティレベルの場合には、鍵付きフィニッシャー３３０内で出力が行われ、鍵付きフィニッシャー３３０の鍵を持つユーザのみが印刷物７００を取り出すことができる。これにより、高程度のセキュリティレベルの場合には、印刷物７００を受け取れるユーザを制限することができる。
【先行技術文献】
【特許文献】
【０００５】
【特許文献１】特開２００５−１６９８５９号公報
【発明の概要】
【発明が解決しようとする課題】
【０００６】
しかしながら、特許文献１においては、高程度のセキュリティレベルの印刷物の場合に、ユーザが鍵を携帯する必要があり、印刷物の受け取りに多大な手間を要する。また、中程度や低程度のセキュリティレベルの印刷物の場合には、他のユーザがいつでも容易に受け取ることができ、ユーザのセキュリティ要求を満足できない可能性がある。
【０００７】
本発明の目的は、記録済みの記録媒体の受け取りに手間を要することなく、セキュリティに配慮した記録を行うことができる記録装置及び制御方法を提供することである。
【課題を解決するための手段】
【０００８】
本発明に係る記録装置は、記録済みの記録媒体を取り出し可能な状態で保持する保持手段と、前記記録済みの記録媒体が前記取り出し可能な状態で保持された後の所定時間内に取り出されない場合に、前記記録済みの記録媒体が取り出せない状態になるように前記保持手段を制御する制御手段と、を有することを特徴とする。
【０００９】
本発明に係る制御方法は、記録済みの記録媒体を取り出し可能な状態で保持するステップと、前記記録済みの記録媒体が前記取り出し可能な状態で保持された後の所定時間内に取り出されない場合に、前記記録済みの記録媒体が取り出せない状態になるように制御するステップと、を有することを特徴とする。
【発明の効果】
【００１０】
本発明によれば、記録済みの記録媒体の受け取りに手間を要することなく、セキュリティに配慮した記録を行うことができる。
【図面の簡単な説明】
【００１１】
【図１】本発明の実施の形態に係る記録装置の全体構成を示す図である。
【図２】本発明の実施の形態に係る記録装置の構成を示す模式図である。
【図３】本発明の実施の形態に係る記録装置の構成を示すブロック図である。
【図４】本発明の実施の形態に係る記録装置において実行する画像記録処理を示すフロー図である。
【図５】本発明の実施の形態に係る記録装置における記録済みの用紙を排出して保持した状態を示す模式図である。
【図６】本発明の実施の形態に係る記録装置における記録済みの用紙を取り出せない状態にした模式図である。
【図７】本発明の実施の形態に係る記録装置において実行する起動時処理を示すフロー図である。
【発明を実施するための形態】
【００１２】
以下、本発明の実施の形態について図面を参照して詳細に説明する。
【００１３】
＜記録装置の構成＞
本発明の実施の形態に係る記録装置１の構成について、図１から図３を参照しながら、詳細に説明する。
【００１４】
記録装置１は、ここではライン型のインクジェット記録装置を例示する。かかるライン型のインクジェット記録装置は、インクを吐出可能なインクジェット記録ヘッドを用いて、搬送する記録媒体に対して画像を記録する。
【００１５】
記録装置１は、記録用の画像データの情報等を制御コマンドとして記録装置１に転送すると共に画像記録処理の開始を指示するパーソナルコンピュータ（ホスト装置）１００に接続されている。具体的には、記録装置１は、給紙部２と、搬送部３と、トレイ４と、オペレーションパネル５と、排出部６と、記録ヘッド１０と、端部検出センサ３７と、排紙センサ３８と、システムコントローラ１０１と、を有している。
【００１６】
給紙部２は、記録媒体としての用紙Ｐを積層して収納しており、収納している用紙Ｐを搬送部３に給紙する。
【００１７】
搬送部３は、給紙部２により給紙された用紙Ｐを搬送し、搬送ベルト３１と、搬送モータ３３と、コードホイール３５と、エンコーダ３６と、を有している。
【００１８】
搬送ベルト３１には、図示しない複数の吸引孔が形成されている。搬送ベルト３１は、搬送モータ３３によって駆動され、吸引孔から空気を吸引することにより、搬送ベルト３１上に位置する用紙Ｐを、吸着保持しながら搬送する。
【００１９】
搬送モータ３３は、システムコントローラ１０１の制御により、搬送ベルト３１を搬送方向Ａ又は搬送方向Ａの反対方向に駆動する。
【００２０】
コードホイール３５は、搬送ベルト３１によって回転される従動軸に設けられている。
【００２１】
エンコーダ３６は、コードホイール３５の回転に応じてパルスを生成してシステムコントローラ１０１に出力する。
【００２２】
トレイ４は、排出部６により排出された用紙Ｐを積載する。
【００２３】
オペレーションパネル５は、ユーザにより外部から操作され、操作に応じた信号をシステムコントローラ１０１に出力する。
【００２４】
保持手段としての排出部６は、システムコントローラ１０１の制御により動作する。具体的には、排出部６は、搬送部３により搬送される画像が記録された記録済みの記録媒体としての用紙Ｐを、図２に示す搬送方向Ａに搬送してトレイ４に排出する。排出部６は、操作者が取り出し可能な状態（引き抜ける状態）で用紙Ｐを保持し、又は操作者が取り出し可能な状態で保持した用紙Ｐを、ユーザが取り出せない状態になるように搬送方向Ａと反対方向に搬送する。
【００２５】
記録ヘッド１０は、用紙Ｐの搬送方向Ａに沿って並んだ４つのインクジェット記録ヘッド１０Ｋ、インクジェット記録ヘッド１０Ｃ、インクジェット記録ヘッド１０Ｍ及びインクジェット記録ヘッド１０Ｙを有している。
【００２６】
インクジェット記録ヘッド１０Ｋは、ブラックのインクを吐出する。インクジェット記録ヘッド１０Ｃは、シアンのインクを吐出する。インクジェット記録ヘッド１０Ｍは、マゼンタのインクを吐出する。インクジェット記録ヘッド１０Ｙは、イエローのインクを吐出する。
【００２７】
インクジェット記録ヘッド１０Ｋ、インクジェット記録ヘッド１０Ｃ、インクジェット記録ヘッド１０Ｍ及びインクジェット記録ヘッド１０Ｙは、用紙Ｐの幅方向に延在する長尺な所謂ラインヘッドである。インクジェット記録ヘッド１０Ｋ、インクジェット記録ヘッド１０Ｃ、インクジェット記録ヘッド１０Ｍ及びインクジェット記録ヘッド１０Ｙは、インクを吐出可能な複数のノズルから構成されるノズル列を各々有している。各々のノズル列は、用紙Ｐの搬送方向Ａと交差する方向に配列されており、例えば用紙Ｐの搬送方向Ａに直交する方向に各々配列されている。各々のノズル列の長さは、記録装置１によって記録可能な用紙Ｐの最大幅よりも長い。
【００２８】
インクジェット記録ヘッド１０Ｋ、インクジェット記録ヘッド１０Ｃ、インクジェット記録ヘッド１０Ｍ及びインクジェット記録ヘッド１０Ｙは、画像の記録中は固定されている。インクジェット記録ヘッド１０Ｋ、インクジェット記録ヘッド１０Ｃ、インクジェット記録ヘッド１０Ｍ及びインクジェット記録ヘッド１０Ｙは、下方において搬送方向Ａに搬送される用紙Ｐに対して連続してインクを吐出して用紙Ｐに画像を記録する。
【００２９】
端部検出センサ３７は、給紙部２から搬送部３に給紙される用紙Ｐの先端を検出し、検出結果を示す信号をシステムコントローラ１０１に出力する。
【００３０】
排紙センサ３８は、排出部６により取り出し可能な状態で保持された用紙Ｐが抜き取られたか否かを監視するために設けられており、排出部６にて保持された用紙Ｐが抜き取られたか否かの検出結果を示す信号をシステムコントローラ１０１に出力する。
【００３１】
システムコントローラ１０１は、パーソナルコンピュータ１００に接続され、パーソナルコンピュータ１００から転送される制御コマンドに基づいて、記録装置１の全体の制御を行う。
【００３２】
＜システムコントローラの構成＞
本発明の実施の形態に係るシステムコントローラ１０１の構成について、図３を参照しながら、詳細に説明する。
【００３３】
システムコントローラ１０１は、ＲＯＭ１０２と、ＣＰＵ１０４と、Ｉ／Ｆ制御部１０５と、画像制御部１０６と、イメージメモリ１０７と、記録ヘッド制御部１０８と、モータ駆動制御部１０９と、Ｉ/Ｏ制御部１１０と、を有している。
【００３４】
ＲＯＭ１０２は、制御プログラム及び各種のデータを予め記憶している。
【００３５】
ＲＡＭ１０３は、制御に必要な各種の設定値又はカウント値を記憶する。
【００３６】
制御手段としてのＣＰＵ１０４は、パーソナルコンピュータ１００からＩ／Ｆ制御部１０５を介して受信する制御コマンドに基づいて、ＲＯＭ１０２に格納されている制御プログラムを実行する。ＣＰＵ１０４は、制御プログラムを実行することにより、ＲＯＭ１０２に格納されているデータを用いて、記録装置１の全体の動作の制御を行う。
【００３７】
具体的には、ＣＰＵ１０４は、エンコーダ３６から入力されるパルス、及びＩＯ制御部１１０から入力される端部検出センサ３７からの信号等に基づいて、記録ヘッド制御部１０８の動作を制御して、用紙Ｐに画像を記録する。ＣＰＵ１０４は、エンコーダ３６から入力されるパルス、及びＩＯ制御部１１０から入力される端部検出センサ３７からの信号等に基づいて、モータ駆動制御部１０９の動作を制御して、用紙Ｐを搬送する。ＣＰＵ１０４は、ＩＯ制御部１１０から入力される排紙センサ３８からの信号に基づいて、モータ駆動制御部１０９の動作を制御して、用紙Ｐを搬送する。
【００３８】
Ｉ／Ｆ制御部１０５は、パーソナルコンピュータ１００から送信される画像データ又は制御コマンドを受信してＣＰＵ１０４に出力する。
【００３９】
画像制御部１０６は、ＣＰＵ１０４から入力される画像データを記録ヘッド１０のイメージデータとしてイメージメモリ１０７にビットマップ展開して描画する制御を行う。
【００４０】
イメージメモリ１０７は、画像制御部１０６の制御により、ブラック（Ｋ）、シアン（Ｃ）、マゼンタ（Ｍ）及びイエロー（Ｙ）の各インクに対応する色成分のイメージデータを格納する。
【００４１】
記録ヘッド制御部１０８は、ＣＰＵ１０４の制御により記録ヘッド１０を駆動する。
【００４２】
モータ駆動制御部１０９は、ＣＰＵ１０４の制御により、搬送モータ３３を駆動し、又は記録ヘッド１０の回復動作若しくは記録動作を制御する図示しない各種のモータを駆動する。
【００４３】
Ｉ/Ｏ制御部１１０は、ＣＰＵ１０４の制御により、搬送部３に設けられた端部検出センサ３７又は排紙センサ３８等の検出動作の制御を行う。Ｉ/Ｏ制御部１１０は、端部検出センサ３７又は排紙センサ３８から入力された信号をＣＰＵ１０４に出力する。
【００４４】
＜記録動作＞
本発明の実施の形態に係る記録装置１における記録動作について、詳細に説明する。
【００４５】
まず、ＣＰＵ１０４は、端部検出センサ３７から入力される信号に基づいて用紙Ｐの先端を検出した後に、エンコーダ３６から入力されるパルスに基づいて、搬送部３における用紙Ｐの位置を検出する。
【００４６】
次に、ＣＰＵ１０４は、インクジェット記録ヘッド１０Ｋ、インクジェット記録ヘッド１０Ｃ、インクジェット記録ヘッド１０Ｍ及びインクジェット記録ヘッド１０Ｙに対応する色毎に画像データをイメージメモリ１０７から順次読み出す。この際に、ＣＰＵ１０４は、エンコーダ３６から入力されるパルスに同期して、イメージメモリ１０７から画像データを順次読み出す。
【００４７】
次に、ＣＰＵ１０４は、エンコーダ３６から入力されるパルスに基づいて用紙Ｐが記録位置に達したことを検出した際に、記録ヘッド制御部１０８を制御して記録ヘッド１０からインクを吐出させて画像の記録を開始する。ＣＰＵ１０４は、イメージメモリ１０７から読み出した画像データの各色を、インクジェット記録ヘッド１０Ｋ、インクジェット記録ヘッド１０Ｃ、インクジェット記録ヘッド１０Ｍ及びインクジェット記録ヘッド１０Ｙから各々吐出させる。これにより、用紙Ｐには、多色のカラー画像が記録される。
【００４８】
次に、ＣＰＵ１０４は、端部検出センサ３７から入力される信号に基づいて画像が記録された用紙Ｐの後端を検出した後に、エンコーダ３６から所定数のパルスが入力された際に画像の記録を終了する。
【００４９】
次に、ＣＰＵ１０４は、モータ駆動制御部１０９を制御して、画像が記録された用紙Ｐを、操作者が取り出し可能な状態で排出部６により保持させる。
【００５０】
＜画像記録処理＞
本発明の実施の形態に係る記録装置１において実行される画像記録処理について、図４から図６を参照しながら、詳細に説明する。
【００５１】
図４に示す画像記録処理は、後述するスタンバイ状態になった後において、所定の制御周期毎に繰り返される。
【００５２】
まず、ＣＰＵ１０４は、パーソナルコンピュータ１００からＩ／Ｆ制御部１０５を介して印刷開始コマンドを受信する（Ｓ１）。
【００５３】
次に、ＣＰＵ１０４は、パーソナルコンピュータ１００からＩ／Ｆ制御部１０５を介して画像データを受信し、受信した画像データに機密情報が付与されているか否かを判定する（Ｓ２）。
【００５４】
ここで、機密情報は、ユーザにより設定される情報であって、具体的にはプリンタドライバ上でセキュリティ印刷の設定をしたことを示す情報である。機密情報が付与された際には、解除パスワードも同時に設定され、設定された解除パスワードに関する情報が画像データに付与される。なお、本実施の形態において、セキュリティ印刷以外の方法により機密性の高い記録物を保護することができる。
【００５５】
ＣＰＵ１０４は、画像データに機密情報が付与されている場合に（Ｓ２：Ｙｅｓ）、上記の記録動作を行う（Ｓ３）。この際に、排出部６は、画像を記録済みの用紙Ｐを、図５に示すように取り出し可能な状態で保持する。これにより、記録済みの用紙Ｐの受け取りに手間を要しないようにすることができる。
【００５６】
次に、ＣＰＵ１０４は、排紙センサ３８から入力される信号に基づいて、排出部６から用紙Ｐが抜き取られたか否かの監視を開始する（Ｓ４）。例えば、ＣＰＵ１０４は、排紙センサ３８から入力される信号の出力電圧のレベルの変動を監視する。
【００５７】
次に、ＣＰＵ１０４は、排紙センサ３８から入力される信号に基づいて、排紙センサ３８での監視を開始してから所定時間内に用紙Ｐが抜き取られたか否かを判定する（Ｓ５）。所定時間は、予め設定された時間でもよいし操作者が任意に設定した時間でもよい。
【００５８】
ＣＰＵ１０４は、排紙センサ３８での監視を開始してから所定時間内に用紙Ｐが抜き取られた場合に（Ｓ５：Ｙｅｓ）、画像記録処理を終了する。具体的には、ＣＰＵ１０４は、オペレーションパネル５に対する用紙Ｐの排出要求の入力操作が行われた際に、用紙Ｐをトレイ４に排出するように排出部６を制御し、用紙Ｐがトレイ４に排出されることにより、用紙Ｐが抜き取られたと判断する。
【００５９】
一方、ＣＰＵ１０４は、排紙センサ３８での監視を開始してから所定時間内に用紙Ｐが抜き取られない場合に（Ｓ５：Ｎｏ）、モータ駆動制御部１０９を制御して、搬送モータ３３を画像を記録する際の回転方向とは逆の回転方向に回転させる。具体的には、ＣＰＵ１０４は、オペレーションパネル５に対する用紙Ｐの排出要求の入力操作が行われずに、用紙Ｐがトレイ４に排出されないことにより、用紙Ｐが抜き取られていないと判断する。
【００６０】
そして、ＣＰＵ１０４は、搬送モータ３３を逆回転させることにより、排出部６により保持されている用紙Ｐを逆搬送させて、図６に示すように記録装置１の内部に用紙Ｐを格納する（Ｓ６）。従って、記録装置１の内部に格納された用紙Ｐは、操作者により取り出せない状態になる。このように、機密情報が付与されている場合に、記録された用紙Ｐが第三者の目に触れる機会を低減することが可能であり、排出された用紙Ｐを記録させた本人が受け取らないことによる情報漏えいを防止することができる。
【００６１】
次に、ＣＰＵ１０４は、記録装置１の内部に用紙Ｐを格納したか否かを示す格納情報をＲＡＭ１０３に記憶させる（Ｓ７）。
【００６２】
次に、ＣＰＵ１０４は、オペレーションパネル５に対する用紙Ｐの排出要求の入力操作があった際に、解除動作が行われたか否かを監視する（Ｓ８）。ここで、解除動作は、オペレーションパネル５を介して行われ、解除パスワードの入力動作、記録装置１に予め設定されている上位権限者用の解除パスワードの入力動作、又はＩＣチップによる認証システム等における認証動作等である。
【００６３】
次に、ＣＰＵ１０４は、解除動作が行われたか否かを判定する（Ｓ９）。
【００６４】
ＣＰＵ１０４は、解除動作が行われた場合に（Ｓ９：Ｙｅｓ）、排出要求を受け付ける。次に、ＣＰＵ１０４は、モータ駆動制御部１０９を制御して搬送モータ３３を駆動させることにより、用紙Ｐを排出部６まで搬送させて、図５に示すように用紙Ｐを再び排出部６に取り出し可能な状態で保持させる再排出処理を行う（Ｓ１０）。そして、ＣＰＵ１０４は、その後にステップＳ４の処理に戻る。
【００６５】
一方、ＣＰＵ１０４は、解除動作が行われない場合に（Ｓ９：Ｎｏ）、記録装置１の内部に用紙Ｐを格納する図６に示す格納状態を保持して（Ｓ１１）、その後にステップＳ８の処理に戻る。
【００６６】
また、ＣＰＵ１０４は、画像データに機密情報が付与されていない場合に（Ｓ２：Ｎｏ）、上記の記録動作を行い（Ｓ１２）、画像を記録した用紙Ｐを排出部６によりトレイ４に排出させて画像記録処理を終了する。
【００６７】
＜起動時処理＞
本発明の実施の形態に係る記録装置１において実行される起動時処理について、図７を参照しながら、詳細に説明する。
【００６８】
図７に示す起動時処理は、記録装置１の図示しない主電源がオンされた際に記録装置１が起動することにより開始される。
【００６９】
まず、ＣＰＵ１０４は、図４のステップＳ７で記憶した格納情報をＲＡＭ１０３から読み出す（Ｓ２１）。
【００７０】
次に、ＣＰＵ１０４は、読み出した格納情報を参照して、記録装置１の内部に用紙Ｐが格納されているか否かを判定する（Ｓ２２）。
【００７１】
ＣＰＵ１０４は、用紙Ｐが格納されている場合に（Ｓ２２：Ｙｅｓ）、モータ駆動制御部１０９を制御して搬送モータ３３を駆動させることにより、用紙Ｐを排出部６まで搬送させる。そして、ＣＰＵ１０４は、図５に示すように用紙Ｐを再び排出部６に取り出し可能な状態で保持させる再排出処理を行う（Ｓ２３）。
【００７２】
次に、ＣＰＵ１０４は、初期化動作を行い（Ｓ２４）、その後にスタンバイ状態になる。
【００７３】
一方、ＣＰＵ１０４は、記録装置１の内部に用紙Ｐが格納されていない場合に（Ｓ２２：Ｎｏ）、ステップＳ２３の処理をスキップしてステップＳ２４の処理に進む。
【００７４】
このように、本実施の形態では、記録済みの用紙Ｐが取り出し可能な状態で保持された後の所定時間内に取り出されない場合に、記録済みの用紙Ｐが取り出せない状態になるように排出部６を制御する。これにより、記録済みの用紙Ｐの受け取りに手間を要することなく、セキュリティに配慮した記録を行うことができる。
【００７５】
本発明は上記実施の形態に限定されるものではなく、その要旨を逸脱しない範囲で種々変形可能であることは言うまでもない。
【００７６】
具体的には、上記実施の形態において、画像データに機密情報が付与されているか否かに応じて制御を行うようにしたが、セキュリティレベルを設定可能にすると共に設定されたセキュリティレベルに応じて異なる制御を行うようにしてもよい。
【００７７】
この際に、セキュリティレベルを３段階に設定可能とし、セキュリティレベルが低い場合又はセキュリティレベルの設定がされていない場合には、用紙Ｐを排出部に排出する。また、セキュリティレベルが中程度の場合には、用紙Ｐを引き抜ける状態で保持した後に、所定時間内に用紙Ｐが引き抜かれない場合に、用紙Ｐを引き抜けない状態に移行させる。更に、セキュリティレベルが高い場合には、用紙Ｐを引き抜けない状態で保持し、排出要求を受信した際に用紙Ｐを排出させる。
【００７８】
また、上記実施の形態において、画像データに機密情報が付与されているか否かに関わらず、排出部６で保持した用紙Ｐが所定時間内に取り出されない場合に、用紙Ｐが取り出せない状態になるように排出部６を制御してもよい。
【符号の説明】
【００７９】
１  記録装置
２  給紙部
３  搬送部
４  トレイ
５  オペレーションパネル
６  排出部（保持手段）
１０  記録ヘッド
１０Ｃ  インクジェット記録ヘッド
１０Ｋ  インクジェット記録ヘッド
１０Ｍ  インクジェット記録ヘッド
１０Ｙ  インクジェット記録ヘッド
３１  搬送ベルト
３３  搬送モータ
３５  コードホイール
３６  エンコーダ
３７  端部検出センサ
３８  排紙センサ
１００  パーソナルコンピュータ
１０１  システムコントローラ
１０２  ＲＯＭ
１０３  ＲＡＭ
１０４  ＣＰＵ（制御手段）
１０５  ＩＦ制御部
１０６  画像制御部
１０７  イメージメモリ
１０８  記録ヘッド制御部
１０９  モータ駆動制御部
１１０  ＩＯ制御部
【図１】
2019043084.tif 000003
【図２】
2019043084.tif 000004
【図３】
2019043084.tif 000005
【図４】
2019043084.tif 000006
【図５】
2019043084.tif 000007
【図６】
2019043084.tif 000008
【図７】
2019043084.tif 000009